(57)【要約】【課題】回路基板の両面に電子部品の実装が可能なＰＣカードのカードバスコネクタ構造を提供する。【解決手段】表面化粧板２ａと裏面化粧板２ｂとからなる扁平なケース２と、ケース２内に収容された回路基板５と、ケース２の一端側に設けられたソケットコネクタ６及びグランドプレート７とからなるバスコネクタ３と、回路基板５とソケットコネクタ６を接続するリード端子６ａ及び回路基板５とグランドプレート７を接続するテイル部７ｃとからなり、テイル部７ｃを回路基板５の上面側に接続し、またリード端子６ａを回路基板５の下面側に接続して、回路基板５の表裏両面のそれぞれを挟むようにしたもので、電子部品を回路基板５の下面にも実装することができるため、回路基板５上面の部品実装密度を減少させることができる。【選択図】  図２
2004288522.tif 000002
【特許請求の範囲】
【請求項１】
表面化粧板と裏面化粧板とからなる扁平なケースと、前記ケース内に収容された回路基板と、前記ケースの一端側に設けられたソケットコネクタ及びグランドプレートとからなるバスコネクタと、前記回路基板と前記ソケットコネクタを接続するリード端子及び前記回路基板と、前記グランドプレートを接続するテイル部とを備えたＰＣカードのバスコネクタ構造であって、前記テイル部及びリード端子が互いに前記回路基板の上下両面のそれぞれを挟むように接続されたことを特徴とするＰＣカードのカードバスコネクタ構造。
【請求項２】
前記グランドプレートに舌片状の固定片を突設し、かつ前記固定片を前記回路基板に形成されたグランドパターンに半田付けすることにより、前記回路基板とグランドプレートを固着してなる請求項１に記載のＰＣカードのカードバスコネクタ構造。
【発明の詳細な説明】
【０００１】
【発明の属する技術分野】
本発明はパーソナルコンピュータ（パソコン）のＰＣカードスロットに装着して機能の拡大等を図るＰＣカードのカードバスコネクタ構造に関する。
【０００２】
【従来の技術】
ＰＣカードは、ＪＥＩＴＡによる規格「ＰＣ  ＣＡＲＤ  ＳＴＡＮＤＡＲＤ」に準拠した物理的、電気的特性をもったカード型の媒体で、主としてパソコンのＰＣカードスロットに装着することにより、機能の拡張を図る目的で使用されている。
【０００３】
またこの種のＰＣカードとしては、例えば図５及び図６に記載されたものが公知である。
【０００４】
【特許文献１】
特許第３１６８５１２号公報（段落０００８、図４）
【０００５】
図５及び図６によれば、ＰＣカードは表面化粧板２１と裏面化粧板２２により形成された扁平な箱状のケース２３内に回路基板２４が収容されており、ケース２３の一端側にバスコネクタ２５が設けられている（特許文献１参照）。
【０００６】
バスコネクタ２５は、ＰＣカードをパソコンのＰＣカードスロット（図示せず）に装着するソケットコネクタ２６と、ソケットコネクタ２６の上面に設けられたグランドプレート２７とから構成されていて、ソケットコネクタ２６よりケース２３内に延設された複数のリード端子２８は、回路基板２４の上面に形成された回路パターンに接続され、グランドプレート２７よりケース２３内に延設されたテイル部２９は、回路基板２４の上面に形成されたグランドパターンに接続されている。
【０００７】
【発明が解決しようとする課題】
しかし前記特許文献１に記載されたＰＣカードのように、ソケットコネクタ２６より延設されたリード端子２８とグランドプレート２７より延設されたテイル部２９を回路基板２４の上面で回路パターンとグランドパターンに接続するように構成したものでは、リード端子２８とテイル部２９の間隔及び上面化粧板２１とテイル部２９の間隔を保持するため、できる限り回路基板２４を裏面化粧板２２側に寄せてケース２３内に設置する必要がある。
【０００８】
このため予め厚さが制限されたケース２３内に、裏面化粧板２２側へ寄せて回路基板２４を設置した場合、回路基板２４と裏面化粧板２２との間隔が小さくなって、回路基板２４の裏面に実装する電子部品の部品実装高さが確保できないことから、回路基板２４の表面側に多くの電子部品を実装しなければならず、上面側の部品実装密度が高くなって、回路パターンを設計したり、電子部品を実装するのに手間がかかる等の問題がある。
【０００９】
またソケットコネクタ２６より延設されたリード端子２８を覆うようにグランドプレート２７のテイル部２９が延設されているため、リード端子２８とテイル部２９が短絡していないか或いは実装不良がないかといった検査をしたり、メンテナンス等の作業が容易にできない問題もある。
【００１０】
本発明は前記従来の問題を改善するためになされたもので、回路基板の両面に電子部品の実装を可能にしたＰＣカードのカードバスコネクタ構造を提供して、回路パターンの設計の容易化や、検査、メンテナンス作業の容易化を図ることを目的とするものである。
【００１１】
【課題を解決するための手段】
前記目的を達成するため本発明のＰＣカードのカードバスコネクタ構造は、表面化粧板と裏面化粧板とからなる扁平なケースと、ケース内に収容された回路基板と、ケースの一端側に設けられたソケットコネクタ及びグランドプレートとからなるバスコネクタと、回路基板とソケットコネクタを接続するリード端子及び回路基板とグランドプレートを接続するテイル部とを備えたＰＣカードのバスコネクタ構造であって、テイル部及びリード端子が互いに回路基板の上下両面のそれぞれを挟むように接続されたものである。
【００１２】
前記構成により、回路基板を従来技術に比して表面化粧板側に寄せてケース内に設置することができ、回路基板と表面化粧板との間に電子部品を実装できるばかりでなく、回路基板と裏面化粧板との間にも電子部品を実装するのに十分な部品実装スペースを確保できることになり、このため、いままで回路基板の上面に実装していた電子部品を回路基板の下面にも実装することができるようになり、これによって回路基板上面の部品実装密度を減少させることができるため、回路パターンの設計や、回路基板に電子部品を実装する作業が従来のものに比べて格段に容易となる。
【００１３】
またソケットコネクタより延設されたリード端子をテイル部と共に回路基板の上下両面のそれぞれを挟むようにして回路基板に接続したことにより、グランドプレートより延設されたテイル部がリード端子を覆うことがないので、リード端子がテイル部に接触していないか等の検査が不要となる上、メンテナンス作業の容易化も図れるようになる。
【００１４】
前記目的を達成するため本発明のＰＣカードのカードバスコネクタ構造は、グランドプレートに舌片状の固定片を突設し、かつ固定片を回路基板に形成されたグランドパターンに半田付けすることにより、回路基板とグランドプレートを固着したものである。
【００１５】
前記構成により、ＰＣカード本体を誤って落下させても、ソケットコネクタに作用する衝撃を固定片が担持してリード端子やテイル部に直接加わることがないため、リード端子やテイル部が断線したり、破損するのを未然に防止することができると共に、グランドプレートと回路基板を連結一体化することにより、ねじり強度や曲げ強度が向上するため、パソコンにＰＣカード本体を脱着する際、ＰＣカード本体に強い力が加わっても、リード端子やテイル部が破損する心配も少なくなる。
【００１６】
【発明の実施の形態】
本発明を、無線ＬＡＮカードのようなエクステンド部を有するＰＣカードに実施した実施の形態について、図面を参照して詳述する。
【００１７】
図１は無線ＬＡＮカードよりなるＰＣカードの断面図、図２は図１のＡ円内の拡大図、図３はカードバスコネクタ部分の斜視図、図４は同分解斜視図である。
【００１８】
ＰＣカード本体１は、表面化粧板２ａと裏面化粧板２ｂとよりなる扁平な箱状のケース２を有している。
【００１９】
各化粧板２ａ，２ｂは金属板により形成されていて、上下方向に間隔を存して配置することによりケース２を構成しており、一端側にバスコネクタ３が設けられ、他端側には、表面化粧板２ａの一部を同一材料或いは別材料を用いて上方へ膨出させることにより、エクステンド部４が形成されていると共に、ケース２内には、各化粧板２ａ，２ｂ間に回路基板５が設置されている。
【００２０】
回路基板５の両面には、回路パターン（図示せず）が形成されていて、回路基板５の両面に実装された電子部品（図示せず）を電気的に接続しており、回路基板５の両面には、グランドパターン（図示せず）も形成されている。
【００２１】
ケース２のバスコネクタ３側端部は、図２に示すようにほぼ中間部より各化粧板２ａ，２ｂ間の間隔が狭くなっていて、この狭くなった端部に裏面化粧板２ｂの端部上面に密着するようソケットコネクタ６が設けられている。
【００２２】
ソケットコネクタ６は、パソコンに設置されたＰＣカードスロット（ともに図示せず）に着脱自在に装着して、パソコンとＰＣカード本体１を電気的、機械的に接続するもので、絶縁体により長方体状に形成されており、内部に複数の接点（図示せず）が設けられていると共に、各接点からはケース２内に設置された回路基板５より下側からケース２内に複数のリード端子６ａが延設されていて、これらリード端子６ａの先端は、回路基板５の裏面に形成された回路パターンのランド（図示せず）に半田付けされている。
【００２３】
バスコネクタ３は、前記ソケットコネクタ６と、ソケットコネクタ６の上面に設けられたグランドプレート７とから構成されている。
【００２４】
グランドプレート７は、図５における平面視でソケットコネクタ６の長さＬ方向寸法及び幅Ｗ方向寸法とほぼ等しいか或いは若干小さめの金属板により形成されていて、ソケットコネクタ６の上面と密着する部分は、表面化粧板２ａの端部２ｃより表出されており、この表出した部分に、複数の突起状接点７ａがソケットコネクタ６の長手方向に等間隔に突設されている。
【００２５】
またグランドプレート７の接点７ａ近傍には段差７ｂが形成されていて、この段差７ｂより一段低くなったグランドプレート７の先端側が表面化粧板２ａの下面と回路基板５の上面間を通ってケース２内に挿入されており、先端部には各接点７ａ毎に舌片状のテイル部７ｃが延設されていて、これらテイル部７ｃの先端は、回路基板５の上面に形成されたグランドパターンに半田付けされている。
【００２６】
さらにグランドプレート７のテイル部７ｃ側の端部には、両角部を下方へ折り曲げることにより舌片状の固定片７ｄが形成されていて、これら固定片７ｄは回路基板５の隅角部に穿設された取り付け孔５ａに上方から嵌挿された後、回路基板５の上下面に形成されたグランドパターンに半田付けすることにより、回路基板５に対してグランドプレート７が固着されている。
【００２７】
上記のように構成する結果、テイル部７ｃとリード端子６ａとは、互いに回路基板５の表裏両面のそれぞれを挟むようにして、回路基板５に接続されることになる。
【００２８】
次に前記構成された無線ＬＡＮ用ＰＣカードの作用を説明する。
【００２９】
ＰＣカード本体１に設けられたバスコネクタ３のグランドプレート７より突設された固定片７ｄを、回路基板５の取り付け孔５ａへ上方より嵌挿して、固定片７ｄを回路基板５のグランドパターンに半田付けすると、回路基板５をケース２内に収容した際、テイル部７ｃとリード端子６ａとが回路基板５の表裏両面のそれぞれを挟むようにして設置されていることから、回路基板５は従来技術に比してケース２の表面化粧板２ａ側へ寄った位置に図２に示すように設置することができ、このため回路基板５の上面と表面化粧板２ａの下面との間ばかりでなく、回路基板５の下面と裏面化粧板２ｂの上面との間にも、電子部品を実装するのに十分な部品実装スペースが確保できるようになる。
【００３０】
これによって従来回路基板５の上面に実装していた電子部品を回路基板５の下面にも実装することができるため、回路基板５上面の部品実装密度を減少させることができ、これによって回路パターンの設計や、回路基板５に電子部品を実装する作業が従来のものに比べて容易となる。
【００３１】
またソケットコネクタ６より延設されたリード端子６ａを回路基板５の下面に形成されたパターンへ接続したことにより、グランドプレート７より延設されたテイル部７ｃがリード端子６ａを覆うことがないので、リード端子６ａがテイル部７ｃに接触していないか等の検査や実装不良がないかといった検査が不要となる上、メンテナンス作業の容易化も図れる。
【００３２】
以上のようにして組み立てたＰＣカード本体１は、パソコンのＰＣカードスロットへバスコネクタ３を挿入して使用するが、ＰＣカード本体１をパソコンに脱着する際、誤ってＰＣカード本体１を床等へ落下させることがよくある。
【００３３】
バスコネクタ３と逆の端部側からＰＣカード本体１を床等へ落下させた場合は問題は少ないが、バスコネクタ３側からＰＣカード本体１を床等へ落下させた場合、ソケットコネクタ６に強い衝撃が加わることになる。
【００３４】
しかし前記実施の形態では、グランドプレート７に設けた固定片７ｄを回路基板５の取り付け孔５ａに嵌挿した状態で両者を半田付けしていることから、ソケットコネクタ６に作用する衝撃は固定片７ｄが担持してリード端子６ａやテイル部７ｃに直接加わることがないため、ＰＣカード本体１を誤って落下させても、リード端子６ａやテイル部７ｃが断線したり、破損するのを未然に防止することができる。
【００３５】
またグランドプレート７と回路基板５を連結一体化することにより、ねじり強度や曲げ強度が向上するため、パソコンにＰＣカード本体１を脱着する際、ＰＣカード本体１に強い力が加わっても、リード端子６ａやテイル部７ｃが破損する心配も少なくなる。
【００３６】
なお前記実施の形態では、無線ＬＡＮカードに実施した例について説明したが、パソコンのＰＣカードスロットに装着して使用するＰＣカード全般や、ＩＣカード等にも適用できるものである。
【００３７】
【発明の効果】
本発明は以上詳述したように、テイル部及びリード端子が互いに回路基板の上下両面のそれぞれを挟むように接続したことから、回路基板と表面化粧板との間に電子部品を実装できるばかりでなく、回路基板と裏面化粧板との間にも電子部品を実装するのに十分な部品実装スペースが確保でき、このため、いままで回路基板の上面に実装していた電子部品を回路基板の下面にも実装することができるようになり、これによって回路基板上面の部品実装密度を減少させることができるため、回路パターンの設計や、回路基板に電子部品を実装する作業が従来のものに比べて格段に容易となる。
【００３８】
またソケットコネクタより延設されたリード端子を回路基板の下面に形成されたパターンへ接続したことにより、グランドプレートより延設されたテイル部がリード端子を覆うことがないので、リード端子がテイル部に接触していないか等の検査が不要となる上、メンテナンス作業の容易化も図れるようになる。
【００３９】
さらにグランドプレートに舌片状の固定片を突設し、かつ固定片を回路基板に形成されたグランドパターンに半田付けすることにより、回路基板とグランドプレートを固着したことから、ＰＣカード本体を誤って落下させても、ソケットコネクタに作用する衝撃を固定片が担持してリード端子やテイル部に直接加わることがないため、リード端子やテイル部が断線したり、破損するのを未然に防止することができると共に、グランドプレートと回路基板を連結一体化することにより、ねじり強度や曲げ強度が向上するため、パソコンにＰＣカード本体を脱着する際、ＰＣカード本体に強い力が加わっても、リード端子やテイル部が破損する心配も少なくなる。
【図面の簡単な説明】
【図１】本発明の実施の形態になるバスコネクタ構造を採用したＰＣカードを示す断面図
【図２】図１のＡ円内の拡大図
【図３】本発明の実施の形態になるＰＣカードのバスコネクタ構造を示す斜視図
【図４】本発明の実施の形態になるＰＣカードのバスコネクタ構造を示す分解斜視図
【図５】従来のＰＣカードのバスコネクタ構造を示す斜視図
【図６】従来のＰＣカードのバスコネクタ構造を示す拡大断面図
【符号の説明】
１      ＰＣカード本体
２      ケース
２ａ    表面化粧板
２ｂ    裏面化粧板
３      バスコネクタ
５      回路基板
６      ソケットコネクタ
６ａ    リード端子
７      グランドプレート
７ｃ    テイル部
７ｄ    固定片
【図１】
2004288522.tif 000003
【図２】
2004288522.tif 000004
【図３】
2004288522.tif 000005
【図４】
2004288522.tif 000006
【図５】
2004288522.tif 000007
【図６】
2004288522.tif 000008